(57)【要約】【課題】  商品が陳列された商品陳列棚の発光状態を制御することにより、顧客への訴求効果を高める。【解決手段】  商品陳列発光システム１０は、商品陳列台Ａ〜Ｃにそれぞれ設けられた複数の商品陳列棚ａ〜ｃと、複数の商品陳列棚ａ〜ｃにそれぞれ設けられた複数の発光源２１〜２３と、これらの商品陳列棚に陳列される商品と当該商品陳列棚とを対応付けて記憶する記憶部と、記憶部を参照して、所望の商品が陳列された商品陳列棚に設けられた発光源の発光状態を変化させる制御部と、を含む。発光源としては、発光ダイオードを用いることができる。【選択図】  図１
2005211552.tif 000002
【特許請求の範囲】
【請求項１】
複数の商品陳列棚と、
前記複数の商品陳列棚にそれぞれ設けられた複数の発光源と、
前記商品陳列棚に陳列される商品と当該商品陳列棚とを対応付けて記憶する第一の記憶部と、
前記第一の記憶部を参照して、所望の商品が陳列された前記商品陳列棚に設けられた前記発光源の発光状態を変化させる制御部と、
を含むことを特徴とする商品陳列棚発光システム。
【請求項２】
請求項１に記載の商品陳列棚発光システムにおいて、
前記商品陳列棚に陳列された商品の広告を表示するディスプレイをさらに含み、
前記制御部は、前記ディスプレイに表示されている商品が陳列された前記商品陳列棚に設けられた前記発光源の発光状態を変化させることを特徴とする商品陳列棚発光システム。
【請求項３】
請求項１に記載の商品陳列棚発光システムにおいて、
販売を強化したい商品に関する情報を取得する商品情報取得部をさらに含み、
前記制御部は、前記商品情報取得部が取得した商品が陳列された前記商品陳列棚に設けられた前記発光源の発光状態を変化させることを特徴とする商品陳列棚発光システム。
【請求項４】
請求項１に記載の商品陳列棚発光システムにおいて、
顧客から、購入希望の商品の選択を受け付ける受付部をさらに含み、
前記制御部は、前記受付部が受け付けた商品が陳列された前記商品陳列棚に設けられた前記発光源の発光状態を変化させることを特徴とする商品陳列棚発光システム。
【請求項５】
請求項１に記載の商品陳列棚発光システムにおいて、
商品と、当該商品の販売対象の顧客の属性とを対応付けて記憶する第二の記憶部と、
前記商品陳列棚が配置された売場に滞在している顧客の属性を検知する検知部と、
をさらに含み、
前記制御部は、前記第二の記憶部を参照して、前記検知部が検知した顧客の属性に基づき、当該顧客を販売対象とする商品を検出し、当該商品が陳列された前記商品陳列棚に設けられた前記発光源の発光状態を変化させることを特徴とする商品陳列棚発光システム。
【請求項６】
請求項１に記載の商品陳列棚発光システムにおいて、
前記第一の記憶部は、前記商品間の関連をさらに記憶し、
前記制御部は、互いに関連付けられた商品が陳列された複数の前記商品陳列棚にそれぞれ設けられた複数の前記発光源の発光状態を連動して変化させることを特徴とする商品陳列棚発光システム。
【請求項７】
複数の商品陳列棚と、
前記複数の商品陳列棚にそれぞれ設けられた複数の発光源と、
前記複数の商品陳列棚間の関連を記憶する第三の記憶部と、
前記第三の記憶部を参照して、互いに関連付けられた複数の前記商品陳列棚にそれぞれ設けられた複数の前記発光源の発光状態を連動して変化させる制御部と、
を含むことを特徴とする商品陳列棚発光システム。
【請求項８】
請求項１乃至７いずれかに記載の商品陳列棚発光システムにおいて、
前記商品陳列棚は、前記発光源が列状に配置された背面と、前記背面と反対側に設けられた前面とを備え、前記発光源から発した光が内部に導かれ、前記前面から出射するように構成されたことを特徴とする商品陳列棚発光システム。
【請求項９】
請求項８に記載の商品陳列棚発光システムにおいて、
前記発光源は、指向角６０度以下の光源であることを特徴とする商品陳列棚発光システム。
【請求項１０】
請求項８または９に記載の商品陳列棚発光システムにおいて、
前記発光源は、発光ダイオードであることを特徴とする商品陳列棚発光システム。
【請求項１１】
請求項１０に記載の商品陳列棚発光システムにおいて、
前記発光ダイオードが白色であることを特徴とする商品陳列棚発光システム。
【請求項１２】
請求項８乃至１１いずれかに記載の商品陳列棚発光システムにおいて、
前記商品陳列棚は、透明樹脂からなる光閉じ込め部材からなることを特徴とする商品陳列棚発光システム。
【請求項１３】
請求項８乃至１２いずれかに記載の商品陳列棚発光システムにおいて、
前記商品陳列棚は、アクリル樹脂からなることを特徴とする商品陳列棚発光システム。
【請求項１４】
請求項８乃至１３いずれかに記載の商品陳列棚発光システムにおいて、
前記商品陳列棚の前面に、半透明部材を備えることを特徴とする商品陳列棚発光システム。
【請求項１５】
請求項１４に記載の商品陳列棚発光システムにおいて、
前記半透明部材が、マット調部材であることを特徴とする商品陳列棚発光システム。
【請求項１６】
請求項８乃至１５いずれかに記載の商品陳列棚発光システムにおいて、
前記商品陳列棚の前面に、着色部材を備えることを特徴とする商品陳列棚発光システム。
【請求項１７】
請求項８乃至１６いずれかに記載の商品陳列棚発光システムにおいて、
前記商品陳列棚の側面に、光反射材を備えることを特徴とする商品陳列棚発光システム。
【請求項１８】
請求項８乃至１７いずれかに記載の商品陳列棚発光システムにおいて、
前記商品陳列棚は、底台と、前記底台に立設された背面板と、を含む商品陳列台に設けられ、前記背面が前記背面板に取り付けられたことを特徴とする商品陳列棚発光システム。 
【請求項１９】
発光する商品陳列棚を含む商品陳列台を売場に配置する際の、当該商品陳列台の発光状態をシミュレーションする発光シミュレーションシステムであって、
前記商品陳列台を配置する前記売場の背景画像を記憶する画像記憶部と、
前記商品陳列台に関する情報を記憶する記憶部と、
前記商品陳列台に関する情報に基づき、前記背景画像上に、商品陳列台の画像を重ねてシミュレーション画像を作成する画像作成部と、
前記シミュレーション画像における前記商品陳列台の発光状態を調整する調整部と、
前記シミュレーション画像を表示する表示部と、
を含むことを特徴とする発光シミュレーションシステム。
【請求項２０】
請求項１９に記載の発光シミュレーションシステムにおいて、
前記シミュレーション画像における前記商品陳列台の発光状態と、実際の商品陳列台の発光状態に関する情報との関係を記憶する記憶部をさらに含み、
前記表示部は、前記実際の商品陳列台の発光状態に関する情報とともに前記シミュレーション画像を表示することを特徴とする発光シミュレーションシステム。
【発明の詳細な説明】
【技術分野】
【０００１】
本発明は、商品を陳列した商品陳列棚を発光させるシステムおよび発光シミュレーションシステムに関する。
【背景技術】
【０００２】
現在、世の中には多種多様な商品が氾濫しており、市場における競争は年々激化している。そのような状況の下では、商品個々の良さ、特徴だけでなく、商品を介して店やブランドのイメージを視覚的に、ビジュアルに訴えることが重要となる。
【０００３】
こうした手法の一つに、ＶＭＤ（視覚訴求販売）とよばれるものがある。ＶＭＤとは、ＭＤ（商品化政策）とＶＰ（ビジュアルプレゼンテーション；視覚訴求）を合体させた手法であり、商品の生産および仕入計画と、販売計画や店頭演出とを、各々の業態や店にふさわしくリンクさせて購買につなげる手法である。商品の販売促進を図るためには、こうした手法を用い、売り場での付加価値として視覚的要素を巧みに取り入れ、顧客の目に魅力的に映るように商品をプレゼンテーションすることが重要であり、これにより、顧客の共感と感動を得て購買意欲を喚起することが可能となる。
【０００４】
ＶＭＤをはじめとする売場の演出手法においては、商品イメージを高めることが重要な要素となる。ブランド品の人気は、不況が続く現在でも根強いものがあり、自社商品のブランドイメージを確立することにより、固定客の確保、利益率の上昇、商品の信頼性向上といった大きなメリットが得られる。したがって、ブランドイメージを顧客に浸透させ、自社商品のブランドイメージを確立することは、販売戦略上、きわめて有効である。
【０００５】
上記のように、顧客の購買意欲を喚起しブランドイメージを確立する手段として、商品を陳列する売場や陳列方法は重要な役割を果たす。
【０００６】
商品の陳列方法としては、従来、商品が陳列されたショーケースにおいて、広告メッセージを表示したり発光ダイオードを点滅させる技術が開示されている（特許文献１）。当該文献には、発光ダイオードを順次点滅させることにより、顧客の目を引きつけ、広告表示灯を棚前面に設置することにより、商品メッセージを伝え、販売促進に役立てることができるとの記載がある。
【特許文献１】特開２００２−７８５７９
【発明の開示】
【発明が解決しようとする課題】
【０００７】
しかし、たとえば商品が販売されるスーパーマーケットやコンビニエンスストア等の店舗においては、商品陳列台に種々の商品が陳列されており、上記従来技術のように棚前面に広告表示をしても、顧客がそれらの広告表示をいちいち見てまわる可能性は低く、充分な販売促進が図れているとは言えない。
【０００８】
また、従来、商品の見栄えをよくするために、発光源を備えた商品陳列台に商品を陳列するという手法もよく用いられている。このような発光源を備えた棚に商品を陳列することにより、商品を目立たせることができ、顧客への商品の訴求効果が得られることが期待される。しかし、発光源を備えた棚自体は目新しいものではなく、これだけでは他社の商品との差別化が充分に図れない。
【０００９】
ところで、たとえば化粧品売場や免税店等では、企業は、独自のイメージカラーの照明によって売場を装飾し、ブランドイメージを消費者へ訴求する手法をとっている。このような売場においては、一つの企業の商品が複数の商品陳列台に並べて配置されることがある。このような場合は、企業は、自社の商品売場へ顧客を引きつけるとともに、自社の複数の商品の中から、いずれかの商品を戦略的に顧客へアピールするという手法を採ることも可能である。また、店舗において、店舗主がこのような戦略を採ることも可能である。
【００１０】
しかし、従来、たとえば特許文献１に記載されているように、あるショーケースの発光ダイオードを点滅させるという技術はあるが、複数の商品陳列棚の発光状態をシステマティックに制御するという手法や、複数の商品陳列棚の中から特定の商品が陳列された商品陳列棚を戦略的に顧客へアピールするような手法は検討されていない。
【００１１】
本発明は上記事情に鑑みなされたものであり、商品が陳列された商品陳列棚の発光状態を制御することにより、顧客への訴求効果を高めることを目的とする。
【課題を解決するための手段】
【００１２】
本発明によれば、複数の商品陳列棚と、複数の商品陳列棚にそれぞれ設けられた複数の発光源と、商品陳列棚に陳列される商品と当該商品陳列棚とを対応付けて記憶する第一の記憶部と、第一の記憶部を参照して、所望の商品が陳列された商品陳列棚に設けられた発光源の発光状態を変化させる制御部と、を含むことを特徴とする商品陳列棚発光システムが提供される。
【００１３】
このような構成とすることにより、複数の商品陳列棚に陳列された複数種の商品の中から所望の商品を目立たせるようにすることができ、顧客への訴求効果を高めることができる。これにより、商品の販売促進を図ることができる。また、複数の商品陳列棚を、それらに陳列された商品に応じてシステマティックに発光制御することもできる。これにより、企業は、たとえば自社の商品が陳列された複数の商品陳列棚をシステマティックに自社のイメージカラーで発光させる等により、商品陳列棚が配置された売場において、ブランドイメージを確立させることもできる。
【００１４】
本発明の商品陳列棚発光システムは、商品陳列棚に陳列された商品の広告を表示するディスプレイをさらに含むことができ、制御部は、ディスプレイに表示されている商品が陳列された商品陳列棚に設けられた発光源の発光状態を変化させることができる。
【００１５】
商品陳列発光システムは、ディスプレイに表示する広告と、当該広告の識別情報とを対応付けて記憶する記憶部をさらに含むことができ、制御部は、識別情報に基づき、どの商品の広告がディスプレイに表示されているかを検知することができる。
【００１６】
これにより、ディスプレイに広告が表示されている商品が陳列された商品陳列棚を目立たせることができ、ディスプレイの広告を見てその商品に興味を持った顧客がその商品を容易に見つけることができる。これによって商品の販売促進を図ることができる。
【００１７】
本発明の商品陳列棚発光システムは、販売を強化したい商品に関する情報を取得する商品情報取得部をさらに含むことができ、制御部は、商品情報取得部が取得した商品が陳列された商品陳列棚に設けられた発光源の発光状態を変化させることができる。
【００１８】
これにより、販売を強化したい商品が陳列された商品陳列棚を目立たせることができ、その商品の販売促進を戦略的に図ることができる。
【００１９】
本発明の商品陳列棚発光システムは、顧客から、購入希望の商品の選択を受け付ける受付部をさらに含むことができ、制御部は、受付部が受け付けた商品が陳列された商品陳列棚に設けられた発光源の発光状態を変化させることができる。
【００２０】
このようにすれば、顧客が欲しい商品があってもその商品がどこに陳列されているかわからないときに、その商品が陳列された商品陳列棚を目立たせることができるので、顧客が商品を容易に見つけることができる。
【００２１】
本発明の商品陳列棚発光システムは、商品と、当該商品の販売対象の顧客の属性とを対応付けて記憶する第二の記憶部と、商品陳列棚が配置された売場に滞在している顧客の属性を検知する検知部とをさらに含むことができ、制御部は、第二の記憶部を参照して、検知部が検知した顧客の属性に基づき、当該顧客を販売対象とする商品を検出し、当該商品が陳列された商品陳列棚に設けられた発光源の発光状態を変化させることができる。
【００２２】
これにより、顧客が興味を持つ可能性の高い商品が陳列された商品陳列棚を目立たせることができるので、商品の販売促進をより効果的に図ることができる。
【００２３】
本発明の商品陳列棚発光システムにおいて、第一の記憶部は、商品間の関連をさらに記憶することができ、制御部は、互いに関連付けられた商品が陳列された複数の商品陳列棚にそれぞれ設けられた複数の発光源の発光状態を連動して変化させることができる。
【００２４】
このようにすれば、企業は、たとえば自社の商品が陳列された複数の商品陳列棚をシステマティックに自社のイメージカラーで発光させる等により、商品陳列棚が配置された売場において、ブランドイメージを確立させることができる。
【００２５】
本発明によれば、複数の商品陳列棚と、複数の商品陳列棚にそれぞれ設けられた複数の発光源と、複数の商品陳列棚間の関連を記憶する第三の記憶部と、第三の記憶部を参照して、互いに関連付けられた複数の商品陳列棚にそれぞれ設けられた複数の発光源の発光状態を連動して変化させる制御部と、を含むことを特徴とする商品陳列棚発光システムが提供される。
【００２６】
このようにすれば、企業は、たとえば自社の商品が陳列された複数の商品陳列棚をシステマティックに自社のイメージカラーで発光させる等により、商品陳列棚が配置された売場において、ブランドイメージを確立させることができる。
【００２７】
本発明の商品陳列棚発光システムにおいて、商品陳列棚は、発光源が列状に配置された背面と、背面と反対側に設けられた前面とを備え、発光源から発した光が内部に導かれ、前面から出射するように構成することができる。
【００２８】
商品陳列棚の前面には、商品名等を記載しておくこともできる。このように、商品陳列棚の背面に発光源を配置し、前面から出射するようにすることにより、前面に明瞭できれいな光を映し出すことができる。これにより、前面をラインとして引き立たせることができ、たとえば前面に、商品名が記載されている場合、商品名を美しく表示することができる。これにより、アイキャッチの手法による顧客への商品等の訴求効果を高めることができる。
【００２９】
また、発光源を商品陳列棚の背面に設置することにより、発光源を設置するスペースを別途確保する必要がなくなる。このため、省スペース化を実現することが可能となる。この結果、販売スペースに限りのある小売店店頭等において、顧客への商品名等の訴求効果を減少させることなく、商品の販売促進を図ることができる。
【００３０】
このような構成の商品陳列棚を用いて上述したような発光制御を行うことにより、商品等の訴求効果をより高めることができる。また、複数の商品陳列棚をシステマティックに連動させる場合にも、発光が明瞭できれいなため、ブランドイメージを高めることができる。
【００３１】
本発明の商品陳列棚発光システムにおいて、発光源は、指向角６０度以下の光源とすることができる。
【００３２】
本発明の商品陳列棚発光システムにおいて、発光源は、発光ダイオードとすることができる。発光源として発光ダイオードを用いることにより、蛍光灯等と比較すると耐用時間を長くすることができ、発光源のメンテナンスフリーを実現することが可能となり、メンテナンス中に使用される代替の商品陳列棚を準備する費用やメンテナンス作業に要する費用を軽減させることができる。また、発光ダイオードは蛍光灯等と比較すると発熱量が小さいので、商品陳列棚の温度上昇を抑制させることができる。この結果、商品陳列棚の熱の影響による商品の劣化や商品陳列棚自体の劣化を抑制することができる。
【００３３】
本発明の商品陳列棚発光システムにおいて、発光ダイオードは、白色とすることができる。
【００３４】
本発明の商品陳列棚発光システムにおいて、商品陳列棚は、透明樹脂からなる光閉じ込め部材により構成することができる。
【００３５】
本発明の商品陳列棚発光システムにおいて、商品陳列棚は、アクリル樹脂により構成することができる。
【００３６】
本発明の商品陳列棚発光システムにおいて、商品陳列棚の前面に、半透明部材を備えることができる。
【００３７】
本発明の商品陳列棚発光システムにおいて、半透明部材は、マット調部材とすることができる。
【００３８】
本発明の商品陳列棚発光システムにおいて、商品陳列棚の前面に、着色部材を備えることができる。
【００３９】
このような着色部材を前面に設けることにより、前面を所望のカラーでラインとして引き立たせることができ、売場を美しく装飾することが可能となる。
【００４０】
本発明の商品陳列棚発光システムにおいて、商品陳列棚の側面に、光反射材を備えることができる。
【００４１】
本発明の商品陳列棚発光システムにおいて、商品陳列棚は、底台と、底台に立設された背面板と、を含む商品陳列台に設けられてよく、背面が背面板に取り付けられてよい。
【００４２】
本発明によれば、発光する商品陳列棚を含む商品陳列台を売場に配置する際の、当該商品陳列台の発光状態をシミュレーションする発光シミュレーションシステムであって、商品陳列台を配置する売場の背景画像を記憶する画像記憶部と、商品陳列台に関する情報を記憶する記憶部と、商品陳列台に関する情報に基づき、背景画像上に、商品陳列台の画像を重ねてシミュレーション画像を作成する画像作成部と、シミュレーション画像を表示する表示部と、シミュレーション画像における商品陳列台の発光状態を調整する調整部と、
を含むことを特徴とする発光シミュレーションシステムが提供される。
【００４３】
このような発光シミュレーションシステムにより、実際に商品陳列台を配置する前に、事前に商品陳列台の発光による売場の演出効果をシミュレーションすることができ、商品陳列台の効果的な配置や効果的な発光制御を検討することができる。これにより、商品陳列台配置に要する費用を削減することもできる。
【００４４】
本発明の発光シミュレーションシステムは、シミュレーション画像における商品陳列台の発光状態と、実際の商品陳列台の発光状態に関する情報との関係を記憶する記憶部をさらに含むことができ、表示部は、実際の商品陳列台の発光状態に関する情報とともにシミュレーション画像を表示することができる。
【００４５】
これにより、発光シミュレーションシステムを用いて適度な発光状態を把握した際に、実際にどのような出力で発光させればシミュレーション時と同様の演出を行えるかを把握することができ、シミュレーション結果を実際の売場に適切に反映させることができる。
【発明の効果】
【００４６】
本発明によれば、商品が陳列された商品陳列棚の発光状態を制御することにより、顧客への訴求効果を高めることができる。
【発明を実施するための最良の形態】
【００４７】
以下、本発明の実施の形態について、図面を参照して説明する。
【００４８】
本発明の商品陳列発光システムは、種々の場所に適用することができるが、以下の実施の形態においては、陳列商品としてタバコを用いた例を説明する。
【００４９】
（第一の実施の形態）
図１は、本実施の形態における商品陳列棚発光システム１０の構成を示すブロック図である。
商品陳列棚発光システム１０は、第一の発光部２４と、第二の発光部２６と、第三の発光部２８と、これらの発光部の発光状態を制御する発光管理装置１２と、ディスプレイ４０と、操作部４２とを含む。本実施の形態において、第一の発光部２４、第二の発光部２６、および第三の発光部２８は、それぞれ、商品陳列台Ａ、商品陳列台Ｂ、および商品陳列台Ｃに設けられる。たとえば、商品陳列台Ａは、複数の商品陳列棚ａ、ｂ、およびｃを含み、各商品陳列棚ａ〜ｃにはそれぞれ、第一の発光源２１、第二の発光源２２、および第三の発光源２３が設けられる。
【００５０】
図２は、商品陳列発光システム１０が設置された売場を示す模式図である。ここでは、商品陳列台Ａ〜Ｃが設置され、商品陳列台Ａと商品陳列台Ｂとの間にはディスプレイ４０および操作部４２が設置されている。商品陳列台Ａ〜Ｃは、それぞれ、商品陳列棚ａ〜ｃを含む。
【００５１】
ディスプレイ４０は、たとえば売場で販売されている商品の広告を表示する。ディスプレイ４０は、たとえば、ＬＥＤ、ＣＲＴモニタ、液晶ディスプレイ等である。
【００５２】
操作部４２は、売場に来た顧客が商品を検索するために用いられる。操作部４２は、たとえば、操作ボタン、スイッチ、レバー、キーボード、タッチパネル、マウス等である。
【００５３】
図３は、発光管理装置１２の構成を詳細に示すブロック図である。
発光管理装置１２は、モード選択受付部５０と、発光制御部５２と、商品情報取得部５４と、表示広告制御部５６と、商品選択受付部５８とを含む。
【００５４】
発光管理装置１２の各構成要素は、任意のコンピュータのＣＰＵ、メモリ、メモリにロードされた本図の構成要素を実現するプログラム、そのプログラムを格納するハードディスク等の記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００５５】
本実施の形態において、発光管理装置１２は、複数のモードで第一の発光部２４、第二の発光部２６、および第三の発光部２８の発光状態を制御する。ここで、複数のモードは、たとえば、販売強化商品に顧客を導くモード（モード１）、ディスプレイ４０に広告が表示されている商品に顧客を導くモード（モード２）、および顧客が探している商品に導くモード（モード３）である。モード選択受付部５０は、発光管理装置１２のユーザから、どのモードでこれらの発光部の発光状態を制御するかというモードの選択を受け付ける。ここで、ユーザとは、商品陳列発光システム１０を設置した企業または店舗の従業員等である。
【００５６】
発光制御部５２は、モード選択受付部５０が受け付けたモードに応じて、第一の発光部２４〜第三の発光部２８に含まれる発光源の発光状態を制御する。発光制御部５２は、各モードに応じて、所望の商品陳列棚が顧客の目を引くように、発光源の発光状態を制御する。顧客の目を引き、商品への訴求効果を高める方法としては、たとえば、所望の商品陳列棚の発光源を点灯させたり、発光源を点滅させたり、他の発光源とは異なるように点滅させたり、光量を増大させたりすることができる。
【００５７】
商品情報取得部５４は、販売を強化したい商品に関する情報を取得する。販売を強化したい商品に関する情報は、発光管理装置１２のユーザが入力することもでき、またネットワーク（不図示）を介して外部から送信されるようにすることもできる。
【００５８】
表示広告制御部５６は、ディスプレイ４０に表示する商品の広告を制御する。商品選択受付部５８は、顧客が操作部４２（図１参照）を用いて検索等した商品の選択を受け付ける。
【００５９】
陳列情報記憶部６０は、複数の商品陳列棚と、それらの商品陳列棚にそれぞれ陳列された商品とを対応付けて記憶する。図４は、陳列情報記憶部６０のデータ構造を示す図である。陳列情報記憶部６０は、台／棚欄と、商品欄とを含む。ここで、たとえば商品陳列台Ａには商品陳列棚ａ、ｂ、およびｃがあり、タバコ１、タバコ２、およびタバコ３がそれぞれ陳列されている。同様に、商品陳列台Ｂには、商品陳列棚ａ、ｂ、およびｃがあり、タバコ４、タバコ５、およびタバコ６がそれぞれ陳列されている。
【００６０】
次に、本実施の形態におけるモードを説明する。
モード１：販売強化商品に顧客を導く
このモードにおいて、発光制御部５２は、商品情報取得部５４が取得した、販売を強化したい商品への訴求効果が高まるように発光源の発光状態を制御する。発光制御部５２は、陳列情報記憶部６０を参照し、その商品が陳列されている商品陳列棚における発光源の発光状態が変化するように、第一の発光部２４、第二の発光部２６、および第三の発光部２８を制御する。
【００６１】
これにより、企業および店舗側で、販売を強化したい商品に顧客の目を向けるようにすることができ、その商品の販売促進を図ることができる。
【００６２】
モード２：ディスプレイ４０に広告が表示されている商品に顧客を導く
このモードにおいて、発光制御部５２は、ディスプレイ４０に広告が表示されている商品への訴求効果が高まるように発光源の発光状態を制御する。表示広告制御部５６は、発光制御部５２に、ディスプレイ４０に広告が表示されている商品に関する情報を伝達する。発光制御部５２は、陳列情報記憶部６０を参照し、その商品が陳列されている商品陳列棚における発光源の発光状態が変化するように、第一の発光部２４、第二の発光部２６、および第三の発光部２８を制御する。これにより、ディスプレイ４０に広告が表示されている商品が陳列された商品陳列棚に顧客の目を向けるようにすることができ、ディスプレイ４０を見てその商品に興味を持った顧客が、その商品の陳列場所を容易に発見することができる。
【００６３】
従来、商品売場で商品の広告をモニタ等のディスプレイに表示させるという手法が行われている。このような場合、広告を見て商品に興味を持った顧客に商品がすぐに目に付くように、商品はディスプレイの近傍に配置されている。ディスプレイで広告を表示しても、その商品がディスプレイから離れた場所に陳列されている場合、顧客がその商品を見つけることができず、広告による効果を充分に享受できないおそれがある。そのため、色々な商品の広告をディスプレイに表示させたくても、ディスプレイの近傍に配置できる商品の広告を表示させることしか意義がなかった。本実施の形態によれば、ディスプレイ４０に広告が表示されている商品が陳列された商品陳列棚の発光状態が変化するので、商品がディスプレイ４０から離れた場所に陳列されていても、顧客が容易に商品を発見することができるので、種々の商品について、広告をディスプレイ４０に表示させることができる。これにより、商品の販売促進を図ることができる。
【００６４】
モード３：顧客が検索等により選択した商品に導く
このモードにおいて、発光制御部５２は、商品選択受付部５８が受け付けた顧客が選択した商品への訴求効果が高まるように発光源の発光状態を制御する。発光制御部５２は、陳列情報記憶部６０を参照し、商品選択受付部５８が受け付けた商品が陳列されている商品陳列棚における発光源の発光状態が変化するように発光源を制御する。これにより、顧客が操作部４２から探している商品を検索すると、その商品が陳列された商品陳列棚が他の商品陳列棚よりも目立つようになるので、顧客が目的の商品の陳列場所を容易に発見することができる。
【００６５】
なお、発光制御部５２は、モード選択受付部５０が受け付けたモードで発光源の発光状態を制御するが、たとえば通常はモード１やモード２で発光源の発光状態を制御しておき、顧客が操作部４２から商品の検索を行った場合にモード３に切り替えて、顧客が選択した商品が陳列された商品陳列棚の発光源の発光状態を変化させるようにすることもできる。
【００６６】
また、発光制御部５２は、モード１やモード２の制御を行いつつ、顧客が操作部４２から商品の検索を行った場合、モード３においては発光源の発光状態を他のモードと異ならせる等して複数のモードでの制御を並行して行うこともできる。
【００６７】
以上のように、本実施の形態における商品陳列発光システム１０によれば、種々の商品が陳列された売場において、販売者が戦略的に商品を顧客にアピールすることができ、販売促進を図ることができる。また、商品陳列棚に陳列された商品と商品陳列棚とを対応付けて発光制御を行うので、商品の陳列場所をかえることなく、所望の商品への訴求効果を高めることができ、売場における商品陳列のための労力を削減することもできる。とくに、多数の商品を扱う量販店のような動的な売場環境において、このような発光状態の変化等を用いて商品をアピールすることにより、顧客への訴求効果を高めるとともに顧客の利便性を高めることができる。
【００６８】
（第二の実施の形態）
本実施の形態において、発光管理装置１２は、商品陳列棚が配置されている売場に滞在している顧客の性別や年齢等の属性を検知し、その属性の顧客を販売対象とする商品が陳列された商品陳列棚の発光状態を変化させる。これにより、顧客が興味を持ちやすい商品を選択的に訴求することができ、商品の販売促進を図ることが期待できる。
【００６９】
図５は、本実施の形態における発光管理装置１２の構成を示すブロック図である。本実施の形態においても、商品陳列棚発光システム１０は、第一の実施の形態において図１を参照して説明したのと同様の構成を有する。
【００７０】
本実施の形態において、発光管理装置１２は、第一の実施の形態において図２に示した構成に加えて、属性情報記憶部６２および滞在者検知部６４をさらに含む。
【００７１】
属性情報記憶部６２は、商品と、その商品の販売対象の顧客の属性とを対応付けて記憶する。図６は、属性情報記憶部６２のデータ構造を示す図である。属性情報記憶部６２は、商品欄、および販売対象者属性欄を含む。ここで、販売対象者属性欄の最初の文字は性別を示し、Ｍは男性、Ｆは女性を示す。また、最後の文字は年齢層を示し、Ｍは中年、Ｙは若者、Ａは全体を示す。たとえば、「タバコ１」の販売対象者の属性は、「ＭＭ」で、男性／中年である。「タバコ２」の販売対象者の属性は、「ＭＹ」で、男性／若者である。「タバコ４」の販売対象者の属性は、「ＦＡ」で、女性／全体である。
【００７２】
滞在者検知部６４は、商品陳列台Ａ〜Ｃが配置されている売場に滞在している顧客の属性を検知する。滞在者検知部６４は、たとえばカメラ等、顧客の姿を撮影する手段を含み、画像処理により、顧客の性別や年齢等を判断することができる。このような撮影手段は、売場の入り口に設けることができ、売場に来た顧客の姿を撮影するようにすることができる。
【００７３】
また、他の例として、顧客が性別や年齢が記載されたＩＣカード等を所有している場合、滞在者検知部６４は、このようなＩＣカードから顧客の情報を読み取る手段を含むことができる。これにより、顧客の性別や年齢等の属性を検知することができる。
【００７４】
さらに、また他の例として、売場にいる店員が売場に来た顧客の性別や年齢等を手入力するようにすることもできる。
【００７５】
いずれの例においても、顧客が多数いる場合は、よりたくさんの顧客が含まれる属性が優先されるようにすることができる。
【００７６】
発光制御部５２は、滞在者検知部６４が検知した滞在者の属性に基づき、属性情報記憶部６２を参照して、その属性の顧客が販売対象となっている商品を検出する。また、発光制御部５２は、陳列情報記憶部６０を参照して、検出した商品が陳列された商品陳列台の発光源の発光状態を変化させる。これにより、売場に滞在している顧客の属性に応じて、その顧客が購入する見込みの高い商品の訴求効果を高めることができ、商品の販売を促進することができる。
【００７７】
（第三の実施の形態）
本実施の形態において、発光管理装置１２は、売場に配置された商品陳列台に含まれる複数の商品陳列棚のうち、所望の複数の商品陳列棚の発光状態を連動して変化させる。
【００７８】
本実施の形態においても、商品陳列発光システム１０は、第一の実施の形態において図１を参照して説明したのと同様の構成を有する。また、発光管理装置１２は、第二の実施の形態において図５を参照して説明したのと同様の構成を有する。
【００７９】
図７は、本実施の形態における陳列情報記憶部６０のデータ構造を示す図である。ここで、陳列情報記憶部６０は、商品陳列棚と商品との対応付けに加えて、連動して変化させる商品陳列棚に関する情報を記憶する。ここでは、商品の関連として、製造者が記憶された例を示す。たとえばタバコ１〜タバコ６は、製造者が同じＪ社という点で関連付けられている。
【００８０】
本実施の形態において、発光管理装置１２は、第一の実施の形態で説明したモード１〜モード３に加えて、互いに関連付けられた商品が陳列された複数の商品陳列棚の発光状態を連動して変化させる連動モード（モード４）を含む。
【００８１】
発光制御部５２は、モード選択受付部５０により連動モードが受け付けられている場合、互いに関連付けられた商品が陳列された複数の商品陳列棚に設けられた複数の発光源の発光状態を連動して変化させる。このようにすれば、たとえばＪ社により製造された商品が陳列された商品陳列棚を一斉に点灯・点滅させたり、規則的に点灯・点滅させたりすることができる。これにより、企業のブランドイメージの浸透を図ることができ、ブランドイメージに基づき、顧客への商品の訴求を図ることができる。
【００８２】
なお、本実施の形態において、滞在者検知部６４は、売場に顧客が滞在しているか否かを検知するセンサとすることもできる。発光制御部５２は、滞在者検知部６４が売場に顧客が来たことを検知した場合に、上述したような複数の発光源を連動させて発光状態を変化させることができる。
【００８３】
また、図７では、商品間の関連付けを説明したが、陳列情報記憶部６０は、商品陳列棚間の関連づけを記憶することもできる。これによっても、同様の効果を得ることができる。
【００８４】
また、以上の例では製造者により商品間の関連づけを行う例を示したが、商品の種類毎に関連づけを行う等、他の方法で関連づけを行うこともできる。
【００８５】
（第四の実施の形態）
本実施の形態において、国際空港の免税店等の静的な売場環境に設置される商品陳列発光システム１０について説明する。このような売場においては、他の売場以上に色彩による演出効果が際立つため、アイキャッチの手法による顧客への商品等の訴求効果、およびブランドイメージの確立に寄与する効果を、特に顕著に奏することができる。このような売場において、複数の商品陳列棚を同一の色彩で統一することにより、さらには複数の商品陳列台を同一の色彩で統一することにより、売場の一角をブランドイメージ特有の色彩で占めることができる。これにより、顧客への商品の訴求およびブランドイメージの確立に大きく寄与する効果がより高められる。
【００８６】
本実施の形態においても、商品陳列発光システム１０は、第一の実施の形態において図１に示したのと同様の構成要素を有する。発光管理装置１２は、複数の商品陳列台Ａ、Ｂ、およびＣにそれぞれ設けられた第一の発光部２４、第二の発光部２６、および第三の発光部２８が同時に光を発するように制御する。このように複数の商品陳列台の発光を同時に制御することにより、顧客への商品の訴求およびブランドイメージを確立することができる。
【００８７】
このような効果を高めるために、商品陳列棚は、発光源から発する光を明瞭に浮かび上がらせ、イルミネーション効果の高い構造とすることが必要となる。以下、このような構造の商品陳列棚を含む商品陳列台の構成を示す。
【００８８】
図８は、本実施の形態における商品陳列台の側面図である。商品陳列台２００は、底台１８０およびその後端部位に立設された背面板１８２からなる本体と、本体にとりつけられた商品陳列棚１００とにより構成される。
【００８９】
商品陳列棚１００は、ボディ１０７と、その前面に設けられた前板１１０と、その後側面に設けられた光源収容部１０３とにより構成される。
【００９０】
背面板１８２と接合される商品陳列棚１００の後側面には、光源収容部１０３が設けられる。光源収容部１０３の内部には、発光ダイオード１５０と、これと一体になった台座１５２とが、固定具１０５上に配設される。背面板１８２と光源収容部１０３の後面部とは、ビス等（不図示）により接合される。
【００９１】
図９は、商品陳列台２００の正面図である。商品陳列台２００には、商品陳列台２００に載置された商品が落下しないように側面板１８４が設けられる。
【００９２】
次に商品陳列台２００の商品陳列棚１００の詳細構造について説明する。
【００９３】
図１０は、発光ダイオード１５０が設けられた商品陳列棚１００の構成を模式的に示す図である。図１０（ａ）は、商品陳列棚１００の側面図、図１０（ｂ）は、図１０（ａ）のＡ矢視図（一部切り欠き図）である。
【００９４】
商品陳列棚１００はボディ１０７、前板１１０、光源収容部１０３、固定具１０５、発光ダイオード１５０、台座１５２により構成される。ここで、前板１１０としては、たとえば同一の透明なアクリル樹脂、ガラス、または他の合成樹脂等が用いられる。また、前板１１０は、陳列された商品が商品陳列棚１００の前方に落下するのを防止する。商品陳列棚１００の前面部１０２には商品名が記載されてもよい。
【００９５】
図１０（ｂ）に示すように、発光ダイオード１５０は、商品陳列棚１００の後側面に沿って固定具１０５上に列状に配置される。発光ダイオードとしては、高指向性の発光ダイオード、特に指向角６０度以下のものを用いることが好ましい。このような向角の高い光源を用いることにより、商品陳列棚１００内部への光閉じ込め効果が顕著となり、本実施の形態におけるイルミネーション効果がより顕著となる。また、光源の種類として発光ダイオードを用いることにより、上記イルミネーション効果の増大のほか、省スペース化、発熱量の低減、これにともなう設置場所の自由度向上といった利点が得られる。発光ダイオードの種類は、狭指向角タイプのものが、より好適に用いられる。なお、発光ダイオードの色は、白色、青色等任意のものを利用することができる。この中でも、とくに白色の発光ダイオードが好ましく用いられる。白色の発光ダイオードは、多色の発光ダイオードに比べて光量が多く、白色の発光ダイオードを用いることにより、イルミネーション効果をより増大させることができる。
【００９６】
図１０において、発光ダイオードから発光された光はボディ１０７を通して商品名等が記載された前面部１０２まで到達する。このことにより、前面部１０２に記載された商品名等の文字等に光が当たり、独特の照明効果が得られる。
【００９７】
本実施の形態では、光源として発光ダイオードを用いているので、従来から商品陳列台の光源として用いられていた蛍光灯等と比較して発熱が少ない。このため、発光ダイオード１５０を光源収容部１０３内部の小さな空間に設置することが可能となり、商品陳列台全体として省スペース化を図ることができる。
【００９８】
本実施の形態で用いる発光ダイオード１５０は、指向角が６０°以下と高い指向性を有する。光の放射強度Ｉは、
Ｉ（α）＝Ｉ０ｃｏｓα
（αは、光直進方向に対する角度であり、Ｉ０は、その角度が０°のときの強度、すなわち、直進光の強度を示す。）
と表される。ここで、
Ｉ＝１／２×Ｉ０
となるようなαを、「指向角」とよぶ。
【００９９】
アクリル樹脂の屈折率は１．５、空気の屈折率は１であることから、ボディ１０７内部の臨界角θｃは、
ｓｉｎθｃ＝１／１．５＝０．６６７
を満たす。これより、θｃ＝４１．８１°という臨界角が得られる。
【０１００】
ここで、本実施の形態におけるボディ１０７の寸法比は、高さ１０ｍｍ、長さ１８０ｍｍ程度である。このような寸法比のボディ１０７内部を導光する光の大部分は、ボディ１０７の面に対する入射角がθｃ以下の角度となる。このため、ボディ１０７内部の光の大部分は棚板上面および下面で全反射し、外部へ漏れ出すことなく光が閉じ込められる。これにより、図１１（ａ）に示すようにボディ１０７の上面および下面からは光１５４が漏れずに前面部１０２まで光が到達する。この結果、商品陳列棚全体が浮かび上がるような独特のイルミネーション効果が得られる。また、棚前面１０２において前板１１０が発光し、前板１１０の素材に応じた照明効果が得られる。これらにより、商品陳列棚１００および棚の上に陳列された商品に対する顧客の関心を強く引きつけることができる。また、陳列商品等へ高級感を付与することも可能となる。
【０１０１】
本実施の形態では、後側面に沿って複数の光源（発光ダイオード）を列状に配置したが、従来のように蛍光灯を用いたとすると、上記イルミネーション効果は小さくなる。図１１（ｂ）は、その様子を示す図である。蛍光灯１５８から発した光は、指向性が低いため、ボディ１０７の後側面において光１６０が漏出し、ボディ１０７内部を導光する光量が低下する。このため、棚板全体が浮かび上がるような独特のイルミネーション効果は十分に得られず、また、前板１１０の前面部１０２に到達する光の量が確保されない結果、棚前部における照明効果も充分に得られない。
【０１０２】
また、発光ダイオード１５０は、蛍光灯１５８等と比較すると耐用時間がはるかに長く、５万〜１０万時間程度である。このため、商品陳列台の光源を交換する頻度は、光源として蛍光灯１５８等を用いた場合と比較して格段に減少する。この結果、光源のメンテナンスフリーを実現することが可能となり、メンテナンス中に使用される商品陳列台を準備する費用やメンテナンス作業に要する費用を軽減させることが可能となる。
【０１０３】
図１２に示すように、商品陳列棚１００のボディ１０７の側面には、たとえばアルミニウム等の光反射金属膜や反射率の高い白色塗料等の光反射塗料等がコーティングされた光反射材１１４を備えることもできる。こうすることにより、側面からの光１５４の漏れを抑制でき、光閉じ込め効果が一層良好となり、前記したイルミネーション効果をより顕著にすることができる。
【０１０４】
図１３は、商品陳列棚１００の他の例を示す図である。ここで示すように、ボディは、上部ボディ１０８および下部ボディ１０９の２層により構成することもできる。この場合、上部ボディ１０８および下部ボディ１０９は、同一の材料により構成してもよいし、一方をアクリル、他方をガラスというように、互いに異なる材料により構成してもよい。
【０１０５】
図１４は、商品陳列棚の他の例を示す図である。ここで、商品陳列棚１２０は、たとえばマット調のアクリル樹脂、曇りガラス、または他のマット調合成樹脂等の半透明な材料により構成された前板１１１を含む。このように、前板１１１を半透明な材料により構成することにより、発光ダイオード１５０から発せられた光線が前板１１１を透過しないため、発光ダイオード１５０の形状が前板１１１の前面部１０２に映し出されない。これにより、前板１１１の前面部１０２の表示を美しくすることができ、アイキャッチの手法による顧客への商品名等の訴求効果を減少させることなく、商品の販売促進を図ることができる。
【０１０６】
発光ダイオード１５０（図１４において不図示）から発せれた光線は図１４の矢印に示すように前板１１１とボディ１０７の境界に到達する。このため、前板１１１として透明な材料を使用した場合、顧客の目につきやすい前面部１０２に、光源として用いられる発光ダイオード１５０の発光スポットがドット状に映し出され外観を損ねるおそれがある。しかし、図１４に示したように、前板１１１を半透明材料により構成することにより、こうしたおそれを解消することができる。
【０１０７】
図１５は、商品陳列棚のまた他の例を示す図である。ここで、商品陳列棚１３０は、前板１１０の前面に、着色材料１１２が貼付された構成である。着色材料１１２としては、たとえば着色テープ、着色されたアクリル樹脂等が用いられる。着色材料１１２としてアクリル樹脂等を用いた場合は、着色材料１１２を前板１１０にビス等で固定することができる。ここで、着色材料１１２の色は、商品を販売する企業のイメージカラー等にすることができる。発光ダイオードから発光された光線は図１５の矢印に示すように着色テープ１１２と前板１１０の境界に到達する。このため、顧客の目に入る前面部１０２には着色された光線によって商品名等が映し出されることになる。このような構成とすることにより、発光源として色付きの発光ダイオードを用いることなく、企業のイメージに合った色で顧客に商品を訴求することができる。
【０１０８】
このように構成された商品陳列棚１３０において、着色材料１１２を交換することにより、発光ダイオードを交換することなく、前面部に映し出す光線の色を変更することができる。また、着色材料には、商品名等が記載されていてもよい。これにより、所望のブランドイメージを簡便に演出することができる。
【０１０９】
なお、以上では、光源として発光ダイオードを用いた形態について説明したが、発光ダイオード以外でも指向性が６０度以下の光源を用いても同様の効果を得ることができる。
【０１１０】
また、以上の例では、商品陳列棚に備えられる光源収容部内に光源である発光ダイオードを設置した場合を説明したが、商品陳列台の背面板内部に発光ダイオードを設置してもよい。
【０１１１】
また、以上の例では、ボディの両側面に光反射材を備えた形態について説明したが、どちらか一方の側面のみに光反射材が備えられていてもよい。
【０１１２】
以上のような構成の商品陳列台を用いることにより、国際空港の免税店等の静的な売り場において、色彩による演出効果が際立たせ、アイキャッチの手法による顧客への商品等の訴求効果、およびブランドイメージの確立に寄与する効果を、顕著に奏することができる。
【０１１３】
（第五の実施の形態）
本実施の形態においては、上述したような商品陳列発光システム１０を実際に売場に設置する前に、シミュレーションにより商品陳列台の色彩等による演出効果をシミュレーションするシステムについて説明する。
【０１１４】
図１６は、本実施の形態における発光シミュレーションシステムを示す図である。
発光シミュレーションシステム７０は、商品陳列台を配置する売場の背景画像を取得する画像取得部７２と、画像取得部７２が取得した背景画像を記憶する背景画像記憶部７４と、商品陳列台に関する情報を記憶する商品陳列台情報記憶部７６と、ユーザの指示により、背景画像に商品陳列台を重ねたシミュレーション画像を作成する商品陳列台情報記憶部７６と、シミュレーション画像を表示する表示部８２とを含む。ここで、商品陳列台情報記憶部７６は、商品陳列台における発光部の情報も記憶し、発光シミュレーションシステム７０は、さらに、シミュレーション画像における商品陳列台の発光状態を調整する発光状調整部８０を含む。発光状態調整部８０は、ユーザの指示により、表示部８２に表示されたシミュレーション画像における発光部の発光状態を調整する。
【０１１５】
図１７は、表示部８２の表示画面を示す図である。図１７（ａ）は、背景画像２０２と、商品陳列台に関する情報に基づき作成された商品陳列台の画像２０１を示す。商品陳列台の画像２０１を背景画像２０２の所望の位置に配置すると、図１７（ｂ）に示すようなシミュレーション画像２０４が得られる。ここで、表示部８２には、シミュレーション画像２０４中の商品陳列台２０１の発光状態を調整するための照明調整画面２０６が表示される。ユーザが照明調整画面２０６で調製を指示すると、発光状態調整部８０はその指示を受け付け、画像作成部７８はシミュレーション画像２０４中の商品陳列台２０１の発光状態を変化させる。
【０１１６】
図１６に戻り、商品陳列台情報記憶部７６は、さらに、シミュレーション画像における商品陳列台の発光状態と、実際の商品陳列台の発光状態に関する情報との関係を記憶することもできる。画像作成部７８は、発光状態調整部８０から指示によりシミュレーション画像における発光部の発光状態を変化させるとともに、実際の商品陳列台の発光状態に関する情報をシミュレーション画像の一部に埋め込み、表示部８２に表示することができる。
【０１１７】
以上のような発光シミュレーションシステム７０により、実際に商品陳列台を売場に配置する前に、事前に商品陳列台の発光による売場の演出効果をシミュレーションすることができ、商品陳列台の効果的な配置や効果的な発光制御を検討することができる。これにより、商品陳列台配置に要する費用を削減することもできる。また、発光シミュレーションシステムを用いて適度な発光状態を把握した際に、実際にどのような出力で発光させればシミュレーション時と同様の演出を行えるかを把握することができ、シミュレーション結果を実際の売場に適切に反映させることができる。
【０１１８】
以上、本発明を実施の形態に基づいて説明した。この実施の形態はあくまで例示であり、種々の変形例が可能なこと、またそうした変形例も本発明の範囲にあることは当業者に理解されるところである。
【０１１９】
たとえば、図１に示した商品陳列発光システム１０において、発光管理装置１２と各商品陳列台の第一の発光部２４、第二の発光部２６、および第三の発光部２８は、ネットワークを介して接続されてもよい。
【０１２０】
また、携帯端末等に発光管理装置１２の機能を持たせてもよく、この場合、無線通信等により、発光制御を行うようにすることもできる。
【０１２１】
第四の実施の形態において、商品陳列台の構成を説明したが、他の実施の形態においても、同様の構成の商品陳列台を用いることができる。これにより、イルミネーション効果の高い商品陳列台により売場を演出することができ、顧客への訴求やブランドイメージの確立を効果的にすることができる。
【図面の簡単な説明】
【０１２２】
【図１】本発明の実施の形態における商品陳列棚発光システムの構成を示すブロック図である。
【図２】図１に示した商品陳列発光システムが設置された売場を示す模式図である。
【図３】発光管理装置の構成を詳細に示すブロック図である。
【図４】陳列情報記憶部のデータ構造を示す図である。
【図５】発光管理装置の構成を示すブロック図である。
【図６】属性情報記憶部のデータ構造を示す図である。
【図７】陳列情報記憶部のデータ構造を示す図である。
【図８】商品陳列台の構造を模式的に示す側面図である。
【図９】商品陳列台の構造を模式的に示す正面図である。
【図１０】商品陳列棚の構造を模式的に示す図である。
【図１１】商品陳列棚内部における光の進路を模式的に表した側面図である。
【図１２】商品陳列棚の他の例を示す側面図である。
【図１３】商品陳列棚の他の例を模式的に示す図である。
【図１４】商品陳列棚の他の例を示す側面図である。
【図１５】商品陳列棚の他の例を示す側面図である。
【図１６】本発明の実施の形態における、発光シミュレーションシステムの構成を示すブロック図である。
【図１７】図１６の表示部の表示画面を示す図である。
【符号の説明】
【０１２３】
１０  商品陳列発光システム
１２  発光管理装置
２１  第一の発光源
２２  第二の発光源
２３  第三の発光源
２４  第一の発光部
２６  第二の発光部
２８  第三の発光部
４０  ディスプレイ
４２  操作部
５０  モード選択受付部
５２  発光制御部
５４  商品情報取得部
５６  表示広告制御部
５８  商品選択受付部
６０  陳列情報記憶部
６２  属性情報記憶部
６４  滞在者検知部
７０  発光シミュレーションシステム
７２  画像取得部
７４  背景画像記憶部
７６  商品陳列台情報記憶部
７８  画像作成部
８０  発光状態調整部
８２  表示部
１００、１２０、１３０  商品陳列棚
１０２  前面部
１０３  光源収容部
１０４  背面部
１０５  固定具
１０７、１０８、１０９  ボディ
１１０、１１１  前板
１１２  着色材料
１５０  発光ダイオード
１５２  台座
１８０  基部
１８２  背面板
２００  商品陳列台
【図１】
2005211552.tif 000003
【図２】
2005211552.tif 000004
【図３】
2005211552.tif 000005
【図４】
2005211552.tif 000006
【図５】
2005211552.tif 000007
【図６】
2005211552.tif 000008
【図７】
2005211552.tif 000009
【図８】
2005211552.tif 000010
【図９】
2005211552.tif 000011
【図１０】
2005211552.tif 000012
【図１１】
2005211552.tif 000013
【図１２】
2005211552.tif 000014
【図１３】
2005211552.tif 000015
【図１４】
2005211552.tif 000016
【図１５】
2005211552.tif 000017
【図１６】
2005211552.tif 000018
【図１７】
2005211552.tif 000019